(57)【特許請求の範囲】
【請求項１】
浴室内の空気を循環させる循環ファンとその空気を給湯機からの温水との熱交換によって加熱する浴室用熱交換器とが収納された浴室用ユニットと、脱衣室内の空気を循環させる循環ファンとその空気を給湯機からの温水との熱交換によって加熱する脱衣室用熱交換器とが収納された脱衣室用ユニットとを備えた浴室用及び脱衣室用の暖房換気乾燥機ユニットにおいて、浴室の天井部に浴室点検口が設けられ、浴室の天井裏に浴室用ユニットが設置されていると共に、浴室用ユニットの浴室点検口側の面に脱衣室用ユニットが取り外し可能に固定されており、脱衣室用ユニットを浴室用ユニットに固定したときは給湯機からの温水が最初に脱衣室用熱交換器に供給され、次に浴室用熱交換器に供給されるように構成され、脱衣室用ユニットを取り外したときは給湯機からの温水が浴室用熱交換器のみに循環するように構成されていることを特徴とする浴室用及び脱衣室用の暖房換気乾燥機ユニット。
【請求項２】
浴室用ユニットの浴室点検口側の面に、屋外への排気用ダクトが接続されるダクト接続口と、給湯機の温水循環用パイプが差し込まれるパイプ差込穴とが設けられ、脱衣室用ユニットの浴室点検口側の面又はこの面と垂直な面に、脱衣室に連通する循環用ダクトが接続されるダクト接続口が設けられていることを特徴とする請求項１記載の浴室用及び脱衣室用の暖房換気乾燥機ユニット。
【請求項３】
浴室用ユニットの浴室点検口側の面に、一端が給湯機の往路側に接続される第１の接続管の他端と、一端が浴室用熱交換器の入側に接続される第２の接続管の他端とを配置し、脱衣室用ユニットを浴室用ユニットに固定した状態では浴室用ユニットの第１の接続管の他端と脱衣室用熱交換器の入側とが接続され且つ浴室用ユニットの第２の接続管の他端と脱衣室用熱交換器の出側とが接続されるようになり、脱衣室用ユニットを取り外した状態では第１の接続管の他端と第２の接続管の他端とが短絡管を用いて互いに接続可能となっていることを特徴とする請求項１記載の浴室用及び脱衣室用の暖房換気乾燥機ユニット。
【請求項４】
浴室用ユニットの上方に向かって係止片を突設すると共に、脱衣室用ユニットに上記係止片に着脱自在に引掛けられる引掛け片を設け、浴室用ユニットと脱衣室用ユニットとに、引掛け片を係止片に引掛けた状態で両ユニットをビス止めするためのビス孔を設けてなることを特徴とする請求項１乃至請求項３のいずれかに記載の浴室用及び脱衣室用の暖房換気乾燥機ユニット。
【請求項５】
係止片は、引掛け片を引掛け状態でスライドさせることができるアングル材からなり、アングル材の長手方向の端部に、引掛け片に当接して両ユニットにそれぞれ設けられたビス孔を位置合わせするための突起部が設けられていることを特徴とする請求項４記載の浴室用及び脱衣室用の暖房換気乾燥機ユニット。
【発明の詳細な説明】
【０００１】
【発明の属する技術分野】
本発明は、浴室用及び脱衣室用の暖房換気乾燥機ユニットに関し、詳しくは、浴室天井に取り付けた２室（浴室、脱衣室）用の暖房換気乾燥機ユニットを運転して、脱衣室と浴室の両方に温風を循環供給するシステムに関するものである。
【０００２】
【従来の技術】
従来より、一台の給湯機により風呂注湯、又は、追い炊きを行い、更に浴室暖房、又は脱衣室暖房を行うことができる暖房換気乾燥機が知られているが、従来のシステムでは、浴室暖房機と脱衣室暖房機とが別ユニットで構成されており、また浴室暖房機を浴室の天井裏に設置し、脱衣室暖房機を脱衣室の天井裏に設置し、浴室暖房と脱衣室暖房とを個別に行うようにしている。
【０００３】
【発明が解決しようとする課題】
このため従来では、各暖房機の取り付け作業、及び、給湯機と各暖房機との配管作業にそれぞれ手間がかかるうえに、メンテナンスも困難であった。
【０００４】
本発明は、上記の従来例の問題点に鑑みて発明したものであって、その目的とするところは、２室（脱衣室と浴室）に温風を循環供給する脱衣室用ユニットと浴室用ユニットの取り付け作業を容易に行えると共に、脱衣室用ユニットの故障時の取り外し及びメンテナンスが楽にできる浴室用及び脱衣室用の暖房換気乾燥機ユニットを提供するにあり、他の目的とするところは、脱衣室用ユニットが故障した時にも浴室用ユニットを単独で使用可能な浴室用及び脱衣室用の暖房換気乾燥機ユニットを提供するにあり、更に他の目的とするところは、浴室用ユニットに対して脱衣室用ユニットを簡単且つ確実に固定でき、狭い天井裏での脱衣室用ユニットの取り付け作業を軽減できる浴室用及び脱衣室用の暖房換気乾燥機ユニットを提供するにある。
【０００５】
【課題を解決するための手段】
上記課題を解決するために本発明にあっては、浴室３内の空気を循環させる循環ファン１とその空気を給湯機４からの温水との熱交換によって加熱する浴室用熱交換器５とが収納された浴室用ユニット６と、脱衣室７内の空気を循環させる循環ファン２とその空気を給湯機４からの温水との熱交換によって加熱する脱衣室用熱交換器８とが収納された脱衣室用ユニット９とを備えた浴室用及び脱衣室用の暖房換気乾燥機ユニットにおいて、浴室３の天井部１１に浴室点検口１２が設けられ、浴室３の天井裏１３に浴室用ユニット６が設置されていると共に、浴室用ユニット６の浴室点検口１２側の面６ａに脱衣室用ユニット９が取り外し可能に固定されており、脱衣室用ユニット９を浴室用ユニット６に固定したときは給湯機４からの温水が最初に脱衣室用熱交換器８に供給され、次に浴室用熱交換器５に供給されるように構成され、脱衣室用ユニット９を取り外したときは給湯機４からの温水が浴室用熱交換器５のみに循環するように構成されていることを特徴としており、このように構成することで、給湯機４を利用して天井裏１３に設置した浴室用ユニット６及び脱衣室用ユニット９から脱衣室７と浴室３の両方に温風を循環供給することができ、２室（脱衣室７、浴室３）の同時暖房を実現できると共に、仮りに脱衣室用ユニット９が故障した時には脱衣室用ユニット９の取り外しや、部品交換などのメンテナンスを楽に行うことができる。
また上記脱衣室用ユニット９を浴室用ユニット６に固定したときは給湯機４からの温水が最初に脱衣室用熱交換器８に供給され、次に浴室用熱交換器５に供給されるように構成され、脱衣室用ユニット９を取り外したときは給湯機４からの温水が浴室用熱交換器５のみに循環するように構成されているので、脱衣室７の暖房時には脱衣室７の昇温性を優先させることができ、脱衣室用ユニット９の故障時には浴室の暖房専用として使用できるようになる。
【０００６】
また上記浴室用ユニット６の浴室点検口１２側の面６ａに、屋外への排気用ダクト１４が接続されるダクト接続口１５と、給湯機４の温水循環用パイプ１６が差し込まれるパイプ差込穴２３とが設けられ、脱衣室用ユニット９の浴室点検口１２側の面９ａ又はこの面と垂直な面９ｂに、脱衣室７に連通する循環用ダクト１８が接続されるダクト接続口１９ａ，１９ｂが設けられているのが好ましく、この場合、浴室点検口１２側から循環用ダクト１８の接続作業、温水循環用パイプ１６の接続作業を楽に行うことができる。
【０００８】
また上記浴室用ユニット６の浴室点検口１２側の面６ａに、一端が給湯機４の往路側に接続される第１の接続管２４の他端と、一端が浴室用熱交換器５の入側に接続される第２の接続管２５の他端とを配置し、脱衣室用ユニット９を浴室用ユニット６に固定した状態では浴室用ユニット６の第１の接続管２４の他端と脱衣室用熱交換器８の入側とが接続され且つ浴室用ユニット６の第２の接続管２５の他端と脱衣室用熱交換器８の出側とが接続されるようになり、脱衣室用ユニット９を取り外した状態では第１の接続管２４の他端と第２の接続管２５の他端とが短絡管２２を用いて互いに接続可能となっているのが好ましく、この場合、脱衣室用熱交換器８と浴室用熱交換器５との接続によって、脱衣室７の昇温性を優先させるような配管が簡易に実現でき、一方、脱衣室用ユニット９の取り外し時には短絡管２２を用いて浴室３のみの単独駆動が可能となる。
【０００９】
また上記浴室用ユニット６の上方に向かって係止片７１を突設すると共に、脱衣室用ユニット９に上記係止片７１に着脱自在に引掛けられる引掛け片７２を設け、浴室用ユニット６と脱衣室用ユニット９とに、引掛け片７２を係止片７１に引掛けた状態で両ユニット６，９をビス止めするためのビス孔７３，７４を設けてなるのが好ましく、この場合、係止片７１に脱衣室用ユニット９の引掛け片７２を引掛けた状態で両ユニット６，９をビス止めすることができるので、狭い天井裏で脱衣室用ユニット９を手で支えながらビス止めする作業を行う必要がなく、作業を軽減できる。
【００１０】
また上記係止片７１は、引掛け片７２を引掛け状態でスライドさせることができるアングル材１０からなり、アングル材１０の長手方向の端部には両ユニット６，９のビス孔７３，７４を位置合わせするための突起部７６が設けられているのが好ましく、この場合、アングル材１０に脱衣室用ユニット９の引掛け片７２を引掛けて、突起部７６に当たるまで引掛け片７２をアングル材１０に沿ってスライドさせるだけで、両ユニット６，９のビス孔７３，７４が自動的に位置合わせされ、ビス７５による固定作業がきわめて容易となる。
【００１１】
【発明の実施の形態】
以下、本発明を添付図面に示す実施形態に基づいて説明する。
【００１２】
本実施形態の浴室用及び脱衣室用の暖房換気乾燥機ユニットは、図１に示すように、浴室用ユニット６と、脱衣室用ユニット９とで主体が構成されている。図１中の４は給湯機、２６は浴槽、６０’は風呂用のリモコン、６１は脱衣室用のリモコン、６２は台所用のリモコンである。
【００１３】
浴室３の天井部１１には、浴室点検口１２が設けられている。浴室３の天井裏１３には、浴室用ユニット６と脱衣室用ユニット９とが並設されている。浴室用ユニット６は、浴槽２６の長手方向と略平行に配置された平面視長方形のケーシング２７を備え、このケーシング２７内部には、浴室３内の空気を循環させるためのシロッコファン等からなる循環ファン１と、この循環ファン１により循環される空気を給湯機４からの温水との熱交換によって加熱する浴室用熱交換器５とが収納されている。
【００１４】
脱衣室用ユニット９は、上記浴室用ユニット６のケーシング２７よりも小形のケーシング２８を備え、このケーシング２８内部に脱衣室７内の空気を循環させるためのシロッコファン等からなる循環ファン２と、この循環ファン２により循環される空気を給湯機４からの温水との熱交換によって加熱する脱衣室用熱交換器８とが収納されている。脱衣室用ユニット９は、浴室用ユニット６の浴室点検口１２側の面６ａに取り外し可能に固定されている。図４、図５は、脱衣室用ユニット９を浴室用ユニット６の浴室点検口１２側の面６ａに取り付ける場合の一例を示している。図４、図５の例では、脱衣室用ユニット９のケーシング２８の左右両側辺と底辺との３辺をビス６０で浴室用ユニット６の外側から固定してある。このビス６０の固定方向は、浴室点検口１２側から浴室用ユニット６の面６ａに対して垂直方向とされ、浴室点検口１２からビス６０止め作業が容易にできる構造となっている。なお、ケーシング２８の上辺は、図５に示すように、浴室用ユニット６の面６ａに取り付けた保持金具９１にシール材９０を介して気密に保持されている。
【００１５】
浴室用ユニット６の浴室点検口１２側の面６ａには、図１〜図３に示すように、屋外への排気用ダクト１４が接続される排気用ファン５５のダクト接続口１５と、給湯機４の温水循環用パイプ１６が差し込まれるパイプ差込穴２３とが設けられている。また、脱衣室用ユニット９の浴室点検口１２側の面９ａ及びこの面と垂直な面９ｂには、脱衣室７の空気吸込口５１と空気吹出口５０とに連通する一対の循環用ダクト１８，１８が個別に接続される一対のダクト接続口１９ａ，１９ｂが設けられている。これにより、浴室点検口１２側から温水循環用パイプ１６の接続作業と循環用ダクト１８の接続作業とができるようになっている。なお、図１の例ではダクト接続口１９ａ，１９ｂは、図２のホとハで示す箇所に設けているが、図２のロとニで示す箇所に設けられてもよいものである。
【００１６】
また、図６（ａ）に示すように、浴室用ユニット６の浴室点検口１２側の面６ａには、２つの配管穴４０（図７）が設けられており、浴室用ユニット６の内部には、上記２つの配管穴４０に面して、一端が給湯機４の温水循環往路用パイプ１６ａに接続される第１の接続管２４の他端と、一端が浴室用熱交換器５の入側に接続される第２の接続管２５の他端とがそれぞれ配置されている。第１の接続管２４の一端は、熱動弁３０を介して給湯機４の温水循環往路用パイプ１６ａに接続されている。浴室用熱交換器５の出側は給湯機４の温水循環復路用パイプ１６ｂに接続されている。温水循環往路用パイプ１６ａ及び温水循環復路用パイプ１６ｂの各一端部は、浴室用ユニット６内部において、第１の接続管２４及び浴室用熱交換器５の入側にそれぞれ接続されている。両パイプ１６ａ，１６ｂは、１本の温水循環用配管３１内に挿入されており、各他端部が給湯機４の出側と入側にそれぞれ接続されている。図６中の３２は配管接続金具であり、その一例を図１４に示す。図１４は第１の熱交換器用配管３５（第２の熱交換器用配管３６も同様）の一端側に雄ネジ部３４が設けられ、第１の接続管２４（第２の接続管２４も同様）の一端側にフレアナット３３が設けられ、フレアナット３３と雄ネジ部３４とを螺合することによって、第１の接続管２４と第１の熱交換器用配管３５、第２の接続管２５と第２の熱交換器用配管３６とがそれぞれ着脱可能に結合できるようになっている。また、脱衣室用ユニット９を取り外した場合には、図１５に示す短絡管２２の両端側に設けた雄ネジ部３４を第１及び第２の接続管２４，２５側に設けたフレアナット３３に螺合することで、短絡管２２を介して第１及び第２の接続管２４，２５を互いに短絡接続できるようになっている。
【００１７】
ここで、脱衣室用ユニット９を浴室用ユニット６に取り付けたときは、図６（ａ）に示すように、浴室用ユニット６の第１の接続管２４の他端と脱衣室用熱交換器８の入側とを第１の熱交換器用配管３５を介して連結し、且つ、浴室用ユニット６の第２の接続管２５の他端と脱衣室用熱交換器８の出側とを第２の熱交換器用配管３６を介して接続することで、給湯機４からの温水は最初に脱衣室用熱交換器８に通り、次に浴室用熱交換器５に通ることとなり、１つの給湯機４を用いて脱衣室７と浴室３の両方を暖房できると共に、脱衣室用熱交換器８に最初に高温の温水が給湯されることで、浴室３内よりも脱衣室７内の昇温性を優先させるようになっている。一方、脱衣室用ユニット９を取り外したときは、図６（ｂ）に示すように、短絡管２２の一端を第１の接続管２４の他端に接続し、短絡管２２の他端を第２の接続管２５の他端に接続することによって、給湯機４からの温水は浴室用熱交換器５のみを循環して、給湯機４へ戻されるようになり、これにより浴室３内の専用暖房として使用できるようになる。
【００１８】
図７、図８は、脱衣室用ユニット９からの熱交換器用配管３５（３６）を浴室用ユニット６のケーシング２７の配管穴４０に気密に貫通させる場合の一例を示しており、図９、図１０は他例を示している。脱衣室用ユニット９を浴室用ユニット６に固定した状態で、脱衣室用熱交換器８とケーシング２７との隙間をなくす必要がある。つまり、隙間があると図１６のａ，ｃで示すように、浴室３の湿気が天井裏１３に拡散して結露したり、或いは、同図のｂで示すように、脱衣室用ユニット９内に浸入して、脱衣室７に湿気が拡散して結露したりするという問題がある。以下の図７〜図１０の実施形態では、上記問題を解決するものである。
【００１９】
図７、図８の例では、先ず、軟質の耐熱ゴムからなる筒状のブッシュ４１内に熱交換器用配管３５（３６）を挿入する。このとき熱交換器用配管３５が挿入しやすいようにブッシュ４１の内径Ｄ２は熱交換器用配管３５よりも太く設定されている。熱交換器用配管３５の挿入後に、ブッシュ４１の筒状部分を外側からインシュロックタイプの締結部材４３で締結する。その後、脱衣室用ユニット９を浴室用ユニット６に固定する。このとき、図７に示すように、ブッシュ４１をケーシング２７の配管穴４０に差し込み、凹溝部分４１ａを嵌合させる。これによって、熱交換器用配管３５とケーシング２７との隙間をなくすことができ、ユニット６，９内の気密性を確保できるようになっている。
【００２０】
図９、図１０の例では、耐熱ゴム製のブッシュ４２の内径Ｄ３は熱交換器用配管３５の外径Ｄ２と略等しく設定されていると共に、ブッシュ４２の片側半分には、図１０（ａ）に示すように、切り込み４４が設けられている。先ず、ブッシュ４２を図１０（ｂ）に示すように、切り込み４４の部分から開いて熱交換器用配管３５の外側から嵌め込む。その後、脱衣室用ユニット９を浴室用ユニット６に固定するときに、図９に示すように、ブッシュ４２をケーシング２７の配管穴４０に差し込み、凹溝部分４１ａを嵌合させる。これによって、図７、図８の実施形態と同様、熱交換器用配管３５とケーシング２７との隙間をなくして気密性を確保できるようになっている。
【００２１】
なお、上記図７〜図１０の各実施形態において、浴室用ユニット６のケーシング２７の配管穴４０は、図１３のイで示す部位に２箇所設けられており、これら２つの配管穴４０に上記ブッシュ４１又は４２がそれぞれ嵌め込まれるようになっている。さらに、脱衣室用ユニット９を取り外したときは、上記ケーシング２７の２箇所の配管穴４０は図１１に示すゴム栓４７とアルミテープ４８とで塞がれる。ゴム栓４７は軟質ゴムからなり、ゴム栓４７の外周全周には、配管穴４０周囲のケーシング２７部分に嵌め込まれる凹溝４９が形成されており、ゴム栓４７を配管穴４０に嵌め込んだ後に、その表裏両面をアルミテープ４８で塞ぐことで、配管穴４０の気密性を確保できるものである。
【００２２】
しかして、浴室点検口１２から浴室用ユニット６内部で脱衣室用熱交換器８の入側の熱交換器用配管３５と第１の接続管２４、出側の熱交換器用配管３６と第２の接続管２５とをそれぞれ接続する作業を行い、その後、ビス６０を用いて脱衣室用ユニット９を浴室用ユニット６に固定する作業を行う。これにより、脱衣室用ユニット９と浴室用ユニット６の両方が使用可能となり、暖房機能（温水循環機能）付き給湯機４を利用して、２室の同時暖房ができるようになる。しかも、浴室用ユニット６と脱衣室用ユニット９とを浴室３の天井裏１３に並べて設置できるので、取り付けスペースが狭くて済むうえに、浴室点検口１２から、循環用ダクト１８の配管接続、温水循環往路用パイプ１６ａの接続を行うことができ、作業性が一層向上する。また、ユニットの内部点検、部品交換等も簡単にでき、メンテナンス性が良くなる。
【００２３】
また脱衣室用ユニット９を取り付けた状態では、給湯機４からの温水が最初に脱衣室用熱交換器８を通り、次に、浴室用熱交換器５を通ることによって、例えば、脱衣室用熱交換器８は３５００ｋｃａｌ／ｈ、浴室用熱交換器５は１６００ｋｃａｌ／ｈとなる。ちなみに脱衣室７の使用特徴として、一般的に短時間（例えば、１０分以内）、不定期であることから、上記のように脱衣室７の昇温性を優先させることによって、脱衣室７の昇温性を確保できるようになる。
【００２４】
また浴室用ユニット６内には、浴室用に必要な機器、部品が収納され、脱衣室用にも脱衣室用に必要な機器、部品が収納されているので、浴室用ユニット６は、脱衣室用ユニット９とは分離され、浴室３専用の運転ができる構造となっている。つまり、脱衣室用ユニット９には循環ファン２と脱衣室用熱交換器８とが設けられているため、浴室用ユニット６内の循環空気と脱衣室用ユニット９内の循環空気とは完全に分離、独立した（混合しない）構造となっている。従って、万一、脱衣室用ユニット９が故障したときは、浴室点検口１２側から脱衣室用ユニット９の取り外しを簡単に行うことができ、脱衣室用ユニット９のメンテナンスを楽に行うことができる。このとき、短絡管２２を用いて浴室用ユニット６内の第１の接続管２４と第２の接続管２５とを短絡させることによって、浴室用ユニット６のみの単独使用が可能となり、浴室暖房を支障なく行えるようになる。またこのとき、ゴム栓４７等で浴室用ユニット６のケーシング２７の配管穴４０を塞ぐことによって、浴室用ユニット６の気密性を確保でき、浴室３内の湿気が天井裏１３に拡散するのを防止できるものである。
【００２５】
図１７〜図２１は、本発明の他の実施形態を示している。なお、脱衣室用ユニット９を浴室用ユニット６に取り付ける構造以外は図１の実施形態と同様であり、対応する部分には同一符号を付して詳しい説明は省略する。
【００２６】
浴室３の天井部１１に設置される浴室用ユニット６には、図１９に示すように、脱衣室用ユニット９側の側面６ｂに複数のビス孔７３が設けられており、このビス孔７３部分で脱衣室用ユニット９との固定が行われるようになっている。なおビス孔７３の数及びその位置は、図１９の例には限定されない。さらに、浴室用ユニット６の脱衣室用ユニット９側の上面端部にはアングル材１０が取り付けられている。アングル材１０は浴室用ユニット６の上面中央側に取り付けられており、アングル材１０の垂直部分が上方に向かって突出する係止片７１を構成している。この係止片７１は脱衣室用ユニット９側の側面６ｂと面一状に配置されている。係止片７１の長手方向の一端部には、図２０に示す突起部７６が平面視Ｌ字形に折り曲げ形成されている。この突起部７６は後述のように引掛け片７２を位置決めして両ユニット６，９のビス孔７３，７４を位置合わせする働きをする。
【００２７】
一方、脱衣室用ユニット９には、浴室用ユニット６側の側面９ｃ上部に引掛け片７２が取り付けられている。引掛け片７２は、下方に開口した断面コ字状をしており、脱衣室用ユニット９の略全長にわたって設けられている。この引掛け片７２は、浴室用ユニット６の係止片７１に上方から着脱自在に引掛けられて脱衣室用ユニット９を浴室用ユニット６に仮固定する働きをする。また、引掛け片７２は、係止片７１に引掛けた状態で係止片７１の長手方向に沿ってスライド自在とされ、且つ係止片７１の端部に設けた突起部７６に当接して位置決めされるようになっている。さらに、脱衣室用ユニット９の両端側には、取付金具７７がそれぞれ突設されている。両取付金具７７には上記浴室用ユニット６のビス孔７３と対向するビス孔７４が設けられている。さらに脱衣室用ユニット９の引掛け片７２を上記突起部７６に当接させた状態では、浴室用ユニット６のビス孔７３と脱衣室用ユニット９のビス孔７４とが自動的に位置合わせされるようになっている。
【００２８】
しかして、浴室３の天井部１１に浴室用ユニット６と脱衣室用ユニット９とを取り付けるにあたって、最初にアングル材１０付き浴室用ユニット６を取り付けておき、次に、図２０の矢印イで示すように、アングル材１０の係止片７１に脱衣室用ユニット９の引掛け片７２を引掛け、そのまま引掛け片７２が突起部７６に当接するまで、図２０の矢印ロで示す方向に脱衣室用ユニット９をスライドさせる。突起部７６に当たった状態では、浴室用ユニット６のビス孔７３に脱衣室用ユニット９のビス孔７４が自動的に位置合わせされ、これにより図２０の矢印ハで示すようにビス７５を各ビス孔７３，７４に締結する作業が容易となり、浴室用ユニット６と脱衣室用ユニット９とを簡単に本固定できるようになる。この結果、図１７、図１８に示すような２室の同時暖房システムを実現できる。
【００２９】
ちなみに、上記係止片７１や引掛け片７２、突起部７６を設けない場合にあっては、狭い天井裏で脱衣室用ユニット９を手で支えながら、ビス孔７３，７４を位置合わせしてビス７５をビス孔７３，７４に締め込む必要があり、ビス固定作業がきわめて困難となるが、本例では、係止片７１や引掛け片７２、突起部７６を設けることによって、脱衣室用ユニット９を手で支えたりする必要がなく、そのうえ、引掛け片７２が突起部７６に当たるまで脱衣室用ユニット９をスライドさせるだけで、両ユニット６，９のビス孔７３，７４が揃うようになるので、従来のような脱衣室用ユニット９を手で支えながらビス孔７３，７４を合わせる作業を省略できる結果、狭い天井裏でのビス７５による固定作業が大幅に軽減されると共に、施工時やメンテナンス時に、脱衣室用ユニット９の取り付け、取り外しの作業や、部品交換の作業がし易くなるものである。さらに、アングル材１０にて浴室用ユニット６を補強でき、引掛け片７２にて脱衣室用ユニット９を補強できるという利点もある。
【００３０】
【発明の効果】
上述のように請求項１記載の発明にあっては、浴室内の空気を循環させる循環ファンとその空気を給湯機からの温水との熱交換によって加熱する浴室用熱交換器とが収納された浴室用ユニットと、脱衣室内の空気を循環させる循環ファンとその空気を給湯機からの温水との熱交換によって加熱する脱衣室用熱交換器とが収納された脱衣室用ユニットとを備えた浴室用及び脱衣室用の暖房換気乾燥機ユニットにおいて、浴室の天井部に浴室点検口が設けられ、浴室の天井裏に浴室用ユニットが設置されていると共に、浴室用ユニットの浴室点検口側の面に脱衣室用ユニットが取り外し可能に固定されているので、給湯機を利用して天井裏に設置した浴室用ユニット及び脱衣室用ユニットから脱衣室と浴室の両方に温風を循環供給することができ、２室（脱衣室、浴室）の同時暖房を実現できると共に、浴室用ユニットと脱衣室用ユニットとを浴室の天井裏に並べて設置することで、取り付けスペースが狭くて済むうえに、仮りに脱衣室用ユニットの故障時には脱衣室用ユニットの取り外しや、部品交換などのメンテナンスを楽に行うことができる。さらに脱衣室用ユニットを浴室用ユニットに固定したときは給湯機からの温水が最初に脱衣室用熱交換器に供給され、次に浴室用熱交換器に供給されるように構成され、脱衣室用ユニットを取り外したときは給湯機からの温水が浴室用熱交換器のみに循環するように構成されているので、脱衣室の暖房時には給湯機からの温水を最初に脱衣室用熱交換器を通し、次に浴室用熱交換器を通すことによって、一般に短時間（例えば、１０分以内）、不定期で使用される脱衣室の昇温性を優先させることができ、脱衣室の昇温性を確保できるようになる。また脱衣室用ユニットが故障したときは脱衣室用ユニットを取り外して、メンテナンスを楽に行うことができると共に、浴室用ユニットでの浴室専用の暖房運転が可能となる。
【００３１】
また請求項２記載の発明は、請求項１記載の効果に加えて、浴室用ユニットの浴室点検口側の面に、屋外への排気用ダクトが接続されるダクト接続口と、給湯機の温水循環用パイプが差し込まれるパイプ差込穴とが設けられ、脱衣室用ユニットの浴室点検口側の面又はこの面と垂直な面に、脱衣室に連通する循環用ダクトが接続されるダクト接続口が設けられているので、浴室点検口側から循環用ダクトの接続作業、温水循環用パイプの接続作業をそれぞれ行うことができ、作業性及びメンテナンス性が一層向上する。
【００３３】
請求項３記載の発明は、請求項１記載の効果に加えて、浴室用ユニットの浴室点検口側の面に、一端が給湯機の往路側に接続される第１の接続管の他端と、一端が浴室用熱交換器の入側に接続される第２の接続管の他端とを配置し、脱衣室用ユニットを浴室用ユニットに固定した状態では浴室用ユニットの第１の接続管の他端と脱衣室用熱交換器の入側とが接続され且つ浴室用ユニットの第２の接続管の他端と脱衣室用熱交換器の出側とが接続されるようになり、脱衣室用ユニットを取り外した状態では第１の接続管の他端と第２の接続管の他端とが短絡管を用いて互いに接続可能となっているので、浴室用ユニット内の第１の接続管と脱衣室用熱交換器の入側、第２の接続管と脱衣室用熱交換器の出側とをそれぞれ接続することで、脱衣室用熱交換器と浴室用熱交換器との接続によって、脱衣室の昇温性を優先させるような配管を簡易に実現できるものであり、一方、脱衣室用ユニットの取り外し時には短絡管を用いて浴室用ユニットの第１の接続管と第２の接続管とを短絡接続するだけで、浴室のみの駆動が可能となり、２室（浴室と脱衣室）の同時暖房運転から浴室専用の暖房運転への切り替えも楽に行えるものである。
【００３４】
また請求項４記載の発明は、請求項１乃至請求項３のいずれかに記載の効果に加えて、浴室用ユニットの上方に向かって係止片を突設すると共に、脱衣室用ユニットに上記係止片に着脱自在に引掛けられる引掛け片を設け、浴室用ユニットと脱衣室用ユニットとに、引掛け片を係止片に引掛けた状態で両ユニットをビス止めするためのビス孔を設けてなるので、係止片に脱衣室用ユニットの引掛け片を引掛けた状態で両ユニットをビス止めすることができるので、狭い天井裏で脱衣室用ユニットを手で支えながらビス止めする作業を行う必要がなく、作業を軽減できると共に、施工時やメンテナンス時に、脱衣室用ユニット９の取り付け、取り外しの作業や、部品交換の作業がし易くなるものである。
【００３５】
また請求項５記載の発明は、請求項４記載の効果に加えて、係止片は、引掛け片を引掛け状態でスライドさせることができるアングル材からなり、アングル材の長手方向の端部に、引掛け片に当接して両ユニットにそれぞれ設けられたビス孔を位置合わせするための突起部が設けられているので、アングル材に脱衣室用ユニットの引掛け片を引掛けて、突起部に当たるまで引掛け片をアングル材に沿ってスライドさせるだけで、両ユニットのビス孔が自動的に位置合わせされ、狭い天井裏で脱衣室用ユニットを手で支えながらビス孔を位置合わせする作業を行う必要がなくなり、ビスによる固定作業が一層容易となる。
【図面の簡単な説明】
【図１】本発明の実施形態の一例を示す斜視図である。
【図２】同上の浴室点検口と浴室用ユニットと脱衣室用ユニットとの位置関係を説明する平面図である。
【図３】図２の矢符リ方向から見た正面図である。
【図４】同上の脱衣室用ユニットを浴室用ユニットに固定した状態を浴室点検口から見た正面図である。
【図５】同上の脱衣室用ユニットと浴室用ユニットとの取り付け状態を説明する断面図である。
【図６】（ａ）は同上の脱衣室用ユニットを浴室用ユニットに固定した場合の配管説明図、（ｂ）は同上の脱衣室用ユニットを浴室用ユニットから取り外した場合の配管説明図である。
【図７】同上の脱衣室用熱交換器の熱交換器用配管と浴室用ユニットのケーシングの配管穴とを気密状態にする場合の一例を示す断面図である。
【図８】図７の熱交換器用配管をブッシュに挿入する場合を説明する斜視図である。
【図９】（ａ）は同上の脱衣室用熱交換器の熱交換器用配管と浴室用ユニットのケーシングの配管穴とを気密状態にする場合の他の例を示す断面図、（ｂ）はブッシュの平面図である。
【図１０】（ａ）は図９のブッシュの斜視図、（ｂ）はブッシュを熱交換器用配管に嵌め込む場合の説明図である。
【図１１】同上の配管穴をゴム栓とアルミテープで塞いだ状態の断面図である。
【図１２】同上のゴム栓の斜視図である。
【図１３】同上の配管穴が設けられる部位の説明図である。
【図１４】同上の配管接続金具の一部破断した分解側面図である。
【図１５】同上の短絡管の説明図である。
【図１６】同上の浴室の湿気の流れ方向の説明図である。
【図１７】他の実施形態の斜視図である。
【図１８】同上の側面図である。
【図１９】同上の浴室用ユニットと脱衣室用ユニットの取り付け前の状態を説明する斜視図である。
【図２０】同上の浴室用ユニットに脱衣室用ユニットを取り付け状態を説明する斜視図である。
【符号の説明】
１，２  循環ファン
３  浴室
４  給湯機
５  浴室用熱交換器
６  浴室用ユニット
６ａ  浴室点検口側の面
７  脱衣室
８  脱衣室用熱交換器
９  脱衣室用ユニット
９ａ  浴室点検口側の面
１０  アングル材
１１  天井部
１２  浴室点検口
１３  天井裏
１４  排気用ダクト
１５  ダクト接続口
１６  温水循環用パイプ
２２  短絡管
２３  パイプ差込穴
２４  第１の接続管
２５  第２の接続管
７１  係止片
７２  引掛け片
７３，７４  ビス孔
７６  突起部
【図１】
0003702797.tif 000002
【図２】
0003702797.tif 000003
【図３】
0003702797.tif 000004
【図４】
0003702797.tif 000005
【図５】
0003702797.tif 000006
【図６】
0003702797.tif 000007
【図７】
0003702797.tif 000008
【図８】
0003702797.tif 000009
【図９】
0003702797.tif 000010
【図１０】
0003702797.tif 000011
【図１１】
0003702797.tif 000012
【図１２】
0003702797.tif 000013
【図１３】
0003702797.tif 000014
【図１４】
0003702797.tif 000015
【図１５】
0003702797.tif 000016
【図１６】
0003702797.tif 000017
【図１７】
0003702797.tif 000018
【図１８】
0003702797.tif 000019
【図１９】
0003702797.tif 000020
【図２０】
0003702797.tif 000021